(57)【要約】【課題】  本発明の課題は、室外機５０の能力を低下させず、かつ、電子回路基板３４，３５と室外機５０の構成要素部品との配線作業を容易に行うことができる電子回路基板支持体および電装品ユニット３０を提供することにある。また、本発明の別の課題は、効率よく電装品ユニット３０を室外機５０に取り付けるための電装品ユニット取付方法を提供することにある。【解決手段】  電子回路基板支持体は、第１支持体３１ｂ、第２支持体３１ａおよび第１可動結合部３３を備える。第１支持体３１ｂは、第１電子回路基板３５を支持する。第２支持体３１ａは、第２電子回路基板３４を支持する。第１可動結合部３３は、第１電子回路基板３５と第２電子回路基板３４とが相対移動できるように第１支持体３１ｂと第２支持体３１ａとを結合する。【選択図】      図４
2005077016.tif 000002
【特許請求の範囲】
【請求項１】
空気調和機の室外機（５０）に組み込まれる第１電子回路基板（３５，７４）および第２電子回路基板（３４，７５）を支持する電子回路基板支持体であって、
前記第１電子回路基板（３５，７４）を支持する第１支持体（３１ｂ，７１ａ）と、
前記第２電子回路基板（３４，７５）を支持する第２支持体（３１ａ，７１ｂ）と、
前記第１電子回路基板（３５，７４）と前記第２電子回路基板（３４，７５）とが相対移動できるように前記第１支持体（３１ｂ，７１ａ）と前記第２支持体（３１ａ，７１ｂ）とを結合する第１可動結合部（３３，７９）と、
を備える、電子回路基板支持体。
【請求項２】
前記第１可動結合部（３３）は、前記第１電子回路基板（３５）と前記第２電子回路基板（３４）とが第１角度をなす第１状態、および前記第１電子回路基板（３５）と前記第２電子回路基板（３４）とが第２角度をなす第２状態をとれるように前記第１支持体（３１ｂ）と前記第２支持体（３１ａ）とを結合する、
請求項１に記載の電子回路基板支持体。
【請求項３】
前記第１角度は、少なくとも１８０度の角度であり、
前記第２角度は、９０度以下の角度である、
請求項２に記載の電子回路基板支持体。
【請求項４】
前記第１可動結合部（７９）は、前記第１電子回路基板（７４）および前記第２電子回路基板（７５）の少なくとも一方がスライド移動できるように前記第１支持体（７１ａ）と前記第２支持体（７１ｂ）とを結合する、
請求項１に記載の電子回路基板支持体。
【請求項５】
前記空気調和機の室内機に組み込まれる第３電子回路基板および前記空気調和機を稼働させるために必要な電源の少なくとも一方と前記第１電子回路基板（３５）との電気接続を媒介する端子台（３６）を支持する端子台支持体（３２）と、
前記端子台（３６）と前記第１電子回路基板（３５）とが相対移動できるように前記端子台支持体（３２）と前記第１支持体（３１ｂ）とを結合する第２可動結合部と、
をさらに備える、
請求項１から４のいずれかに記載の電子回路基板支持体。
【請求項６】
空気調和機の室外機に組み込まれる電装品ユニット（３０，７０）であって、
第１電子回路基板（３５，７４）と、
第２電子回路基板（３４，７５）と、
前記第１電子回路基板（３５，７４）を支持する第１支持体（３１ｂ，７１ａ）と、
前記第２電子回路基板（３４，７５）を支持する第２支持体（３１ａ，７１ｂ）と、
前記第１電子回路基板（３５，７４）と前記第２電子回路基板（３４，７５）とが相対移動できるように前記第１支持体（３１ｂ、７１ａ）と前記第２支持体（３１ａ，７１ｂ）とを結合する可動結合部（３３，７９）と、
を備える、電装品ユニット（３０，７０）。
【請求項７】
請求項６に記載の電装品ユニット（３０，７０）を前記室外機（５０）に組み込むための電装品ユニット取付方法であって、
前記第２支持体（３１ａ，７１ｂ）を前記室外機（５０）の所定の位置に固定する第１ステップと、
電装品ユニット（３０，７０）が第１状態をとるように、前記第１支持体（３１ｂ，７１ａ）を移動させる第２ステップと、
前記第１電子回路基板（３５，７５）および前記第２電子回路基板（３４，７４）の少なくとも一方の所定のコネクタ部と前記室外機（５０）の構成要素部品とを配線接続する第３ステップと、
電装品ユニット（３０，７０）が第２状態をとるように、前記第１支持体（３１ｂ，７１ａ）を移動させる第４ステップと、
を備える、電装品ユニット取付方法。
【発明の詳細な説明】
【技術分野】
【０００１】
本発明は、空気調和機の室外機に取り付けられる電子回路基板を支持する電子回路基板支持体、その電子回路基板支持体上に電子回路基板が取り付けられる電装品ユニット、およびその電装品ユニットを室外機に取り付けるための電装品ユニット取付方法に関する。
【背景技術】
【０００２】
従来、空気調和機の室外機にプリント基板のような電子回路基板などが組み込まれる場合、その電子回路基板は、図１に示すようにして電装品箱１５内に平面的に取り付けられた状態で室外機１０に組み込まれていた。しかし、このように電子回路基板１７が電装品箱１５内に平面的に取り付けられると、電装品箱１５が比較的長くなってしまうため、機械室１２からはみ出て、室外熱交換器１１や室外機１０の通風口の前にまで張り出してしまう。その結果として、室外機１０の能力が低下するという問題があった。そこで、図２に示すように電子回路基板２７ａ，２７ｂをインバータ部と制御部となどに分割し、それらを電装品箱２５内に立体的に取り付けることなどが考案された。このため、電装品箱２５を機械室１２内に収めることができ、上記のような問題は解消された（図２参照）。
【特許文献１】特開平１１−２３７０８２号公報（第２−５項、図２）
【発明の開示】
【発明が解決しようとする課題】
【０００３】
しかし、複数の電子回路基板を電装品箱の中に立体的に配置すると、それらの電子回路基板と室外機の構成要素部品（例えば、圧縮機、電子膨張弁および四路切換弁など）との配線作業において、作業方向が定まらなくなったり電装品箱が比較的小さく作られているため配線作業中に手が電装部品に当たったりして、その配線作業が非常に煩雑になるという新たな問題が生じた。
【０００４】
本発明の課題は、室外機の能力を低下させず、かつ、電子回路基板と室外機の構成要素部品との配線作業を容易に行うことができる電子回路基板支持体および電装品ユニットを提供することにある。また、本発明の別の課題は、効率よく電装品ユニットを室外機に取り付けるための電装品ユニット取付方法を提供することにある。
【課題を解決するための手段】
【０００５】
請求項１に記載の電子回路基板支持体は、空気調和機の室外機に組み込まれる第１電子回路基板および第２電子回路基板を支持する電子回路基板支持体であって、第１支持体、第２支持体および第１可動結合部を備える。第１支持体は、第１電子回路基板を支持する。第２支持体は、第２電子回路基板を支持する。第１可動結合部は、第１電子回路基板と第２電子回路基板とが相対移動できるように第１支持体と第２支持体とを結合する。なお、ここにいう「第１可動結合部」とは、ヒンジ構造体やスライド構造体などである。
【０００６】
ここでは、例えば、第１可動結合部がヒンジ構造体であれば、そのヒンジ構造体により第１電子回路基板と第２電子回路基板とが同一平面上に並ぶ状態（または、第１電子回路基板と第２電子回路基板とが重ならない状態で平行に並ぶ状態）と、第１電子回路基板と第２電子回路基板とが交差する状態との両方の状態をとることが可能になる。前者の状態では、電子回路基板と室外機の構成要素部品との配線の作業方向が定まるため、配線作業を容易に行うことができる。また、後者の状態では、第１電子回路基板と第２電子回路基板とを室外機の機械室に収めることができる。したがって、室外機の能力を低下させることはない。
【０００７】
また、例えば、第１電子回路基板と第２電子回路基板とが交差するように配置される場合において、第１可動結合部がスライド構造体であれば、第１電子回路基板と第２電子回路基板とに十分に距離のある状態と、第１電子回路基板と第２電子回路基板とが近接する状態との両方の状態をとることが可能となる。前者の状態では、十分な作業スペースを確保することができるため、配線作業を容易に行うことができる。また、後者の状態では、第１電子回路基板と第２電子回路基板とを室外機の機械室に収めることができる。したがって、室外機の能力を低下させることはない。
【０００８】
さらに、例えば、第１電子回路基板と第２電子回路基板とが平行に並ぶように配置される場合において、第１可動結合部がスライド構造体であれば、第１電子回路基板と第２電子回路基板とが重ならない状態で平行に並び且つ第１電子回路基板と第２電子回路基板とに十分に距離がある状態と、第１電子回路基板と第２電子回路基板とが平行に重なる状態との両方の状態をとることが可能となる。前者の状態では、配線の作業方向が定まり且つ十分な作業スペースを確保することができるため、配線作業を容易に行うことができる。また、後者の状態では、第１電子回路基板と第２電子回路基板とを室外機の機械室に収めることができる。したがって、室外機の能力を低下させることはない。
【０００９】
これらの結果、本電子回路基板支持体を利用すれば、室外機の能力を低下させず、かつ、電子回路基板と室外機の構成要素部品との配線作業を容易に行うことができる。
なお、本電子回路基板支持体では、次のような種々の副次的な効果が得られる。（１）電子回路基板を電子回路基板支持体に取り付ける場合にも作業方向が定まったり十分な作業スペースを確保したりすることができる。このため、その取付作業を容易に行うことができる。（２）本電子回路基板支持体には、箱体に見られるデッドスペースが少ない。このため、輸送時における輸送箱への充填数を増加させることができる。したがって、輸送単価を低減することができる。（３）メンテナンス時においても作業方向が定まったり十分な作業スペースを確保したりすることができる。このため、迅速なメンテナンス作業を行うことが可能となる。
【００１０】
請求項２に記載の電子回路基板支持体は、請求項１に記載の電子回路基板支持体であって、第１可動結合部は、電子回路基板支持体が第１状態、および第２状態をとれるように第１支持体と第２支持体とを結合する。なお、第１状態では、第１電子回路基板と第２電子回路基板とが第１角度をなす。また、第２状態では、第１電子回路基板と第２電子回路基板とが第２角度をなす。
【００１１】
ここでは、第１可動結合部により、例えば、第１電子回路基板と第２電子回路基板とが１８０度の角度をなす状態と、第１電子回路基板と第２電子回路基板とが９０度の角度をなす状態との両方の状態をとることが可能になる。前者の状態では、電子回路基板と室外機の構成要素部品との配線の作業方向が定まるため、配線作業を容易に行うことができる。また、後者の状態では、第１電子回路基板と第２電子回路基板とを室外機の機械室に収めることができる。したがって、室外機の能力を低下させることはない。その結果、本電子回路基板支持体を利用すれば、室外機の能力を低下させず、かつ、電子回路基板と室外機の構成要素部品との配線作業を容易に行うことができる。
【００１２】
なお、本明細書では、本発明を、角度を用いて説明する場合がある。そこで、ここであらかじめ、この角度について定義しておく。通常、電子回路基板には、表裏がある。本明細書では、電装部品やコネクタ部などが突出している面を表側面、回路がプリントされている面を裏側面とする。この前提において角度が１８０度である状態とは、第１電子回路基板の表側面と第２電子回路基板の表側面とが同じ方向を向いている状態である。そして、第１電子回路基板の表側面が第２電子回路基板の表側面に対して４５度近づいた場合、その角度は、１３５度となる。さらに、４５度近づくと９０度となる。そして、そのまま、近づいて行けば、最終的に第１電子回路基板の表側面と第２電子回路基板の表側面とが合わさる状態になる。この状態が０度となる。逆に、第１電子回路基板の裏側面が第２電子回路基板の裏側面に対して４５度近づいた場合、その角度は、２２５度となる。さらに、４５度近づくと２７０度となる。そして、そのまま、近づいて行けば、最終的に第１電子回路基板の裏側面と第２電子回路基板の裏側面とが合わさる状態になる。この状態が３６０度となる。
【００１３】
請求項３に記載の電子回路基板支持体は、請求項２に記載の電子回路基板支持体であって、第１角度は、少なくとも１８０度の角度である。また、第２角度は、９０度以下の角度である。
ここでは、第１角度が１８０度であれば、電子回路基板と室外機の構成要素部品との配線の作業方向が定まるため、配線作業を容易に行うことができる。なお、第１角度が１８０度以上である場合、作業方向が定まることはないが、作業スペースが広がるため配線作業を容易に行うことができる。また、第２角度が９０度以下であれば、第１電子回路基板と第２電子回路基板とを室外機の機械室に収めることができる。したがって、室外機の能力を低下させることはない。その結果、本電子回路基板支持体を利用すれば、室外機の能力を低下させず、かつ、電子回路基板と室外機の構成要素部品との配線作業を容易に行うことができる。
【００１４】
請求項４に記載の電子回路基板支持体は、請求項１に記載の電子回路基板支持体であって、第１可動結合部は、第１電子回路基板および第２電子回路基板の少なくとも一方がスライド移動できるように第１支持体と第２支持体とを結合する。
ここでは、例えば、第１電子回路基板と第２電子回路基板とが交差するように配置される場合であれば、第１電子回路基板と第２電子回路基板とに十分に距離のある状態と、第１電子回路基板と第２電子回路基板とが近接する状態との両方の状態をとることが可能となる。前者の状態では、十分な作業スペースを確保することができるため、配線作業を容易に行うことができる。また、後者の状態では、第１電子回路基板と第２電子回路基板とを室外機の機械室に収めることができる。したがって、室外機の能力を低下させることはない。
【００１５】
また、例えば、第１電子回路基板と第２電子回路基板とが平行に並ぶように配置される場合であれば、第１電子回路基板と第２電子回路基板とが重ならない状態で平行に並び且つ第１電子回路基板と第２電子回路基板とに十分に距離がある状態と、第１電子回路基板と第２電子回路基板とが平行に重なる状態との両方の状態をとることが可能となる。前者の状態では、配線の作業方向が定まり且つ十分な作業スペースを確保することができるため、配線作業を容易に行うことができる。また、後者の状態では、第１電子回路基板と第２電子回路基板とを室外機の機械室に収めることができる。したがって、室外機の能力を低下させることはない。
【００１６】
これらの結果、本電子回路基板支持体を利用すれば、室外機の能力を低下させず、かつ、電子回路基板と室外機の構成要素部品との配線作業を容易に行うことができる。
請求項５に記載の電子回路基板支持体は、請求項１から４のいずれかに記載の電子回路基板支持体であって、端子台支持体および第２可動結合部をさらに備える。端子台支持体は、端子台を支持する。なお、この端子台は、第３電子回路基板および電源の少なくとも一方と第１電子回路基板との電気接続を媒介する。また、第３電子回路基板は、空気調和機の室内機に組み込まれる。さらに、電源は、空気調和機を稼働させるために必要となる。第２可動結合部は、端子台と第１電子回路基板とが相対移動できるように端子台支持体と第１支持体とを結合する。なお、ここにいう「第２可動結合部」とは、ヒンジ構造体やスライド構造体などである。
【００１７】
ここでは、第１電子回路基板に対して端子台の位置を変更することができる。このため、第１電子回路基板および第２電子回路基板が取り付けられた電子回路基板支持体が室外機に固定された後でも、その端子台のみを第３電子回路基板や電源に接続しやすい位置に移動させることができる。したがって、第１電子回路基板および第２電子回路基板と、第３電子回路基板や電源などとの配線接続を容易に行うことが可能となる。
【００１８】
請求項６に記載の電装品ユニットは、空気調和機の室外機に組み込まれる電装品ユニットであって、第１電子回路基板、第２電子回路基板、第１支持体、第２支持体および可動結合部を備える。第１支持体は、第１電子回路基板を支持する。第２支持体は、第２電子回路基板を支持する。可動結合部は、第１電子回路基板と第２電子回路基板とが相対移動できるように第１支持体と第２支持体とを結合する。
【００１９】
ここでは、例えば、第１可動結合部がヒンジ構造体であれば、そのヒンジ構造体により第１電子回路基板と第２電子回路基板とが同一平面上に並ぶ状態（または、第１電子回路基板と第２電子回路基板とが重ならない状態で平行に並ぶ状態）と、第１電子回路基板と第２電子回路基板とが交差する状態との両方の状態をとることが可能になる。前者の状態では、電子回路基板と室外機の構成要素部品との配線の作業方向が定まるため、配線作業を容易に行うことができる。また、後者の状態では、第１電子回路基板と第２電子回路基板とを室外機の機械室に収めることができる。したがって、室外機の能力を低下させることはない。
【００２０】
また、例えば、第１電子回路基板と第２電子回路基板とが交差するように配置される場合において、第１可動結合部がスライド構造体であれば、第１電子回路基板と第２電子回路基板とに十分に距離のある状態と、第１電子回路基板と第２電子回路基板とが近接する状態との両方の状態をとることが可能となる。前者の状態では、十分な作業スペースを確保することができるため、配線作業を容易に行うことができる。また、後者の状態では、第１電子回路基板と第２電子回路基板とを室外機の機械室に収めることができる。したがって、室外機の能力を低下させることはない。
【００２１】
さらに、例えば、第１電子回路基板と第２電子回路基板とが平行に並ぶように配置される場合において、第１可動結合部がスライド構造体であれば、第１電子回路基板と第２電子回路基板とが重ならない状態で平行に並び且つ第１電子回路基板と第２電子回路基板とに十分に距離がある状態と、第１電子回路基板と第２電子回路基板とが平行に重なる状態との両方の状態をとることが可能となる。前者の状態では、配線の作業方向が定まり且つ十分な作業スペースを確保することができるため、配線作業を容易に行うことができる。また、後者の状態では、第１電子回路基板と第２電子回路基板とを室外機の機械室に収めることができる。したがって、室外機の能力を低下させることはない。
【００２２】
これらの結果、本電子回路基板支持体を利用すれば、室外機の能力を低下させず、かつ、電子回路基板と室外機の構成要素部品との配線作業を容易に行うことができる。
請求項７に記載の電装品ユニット取付方法は、請求項６に記載の電装品ユニットを室外機に組み込むための電装品ユニット取付方法であって、第１ステップ、第２ステップ、第３ステップおよび第４ステップを備える。第１ステップでは、第２支持体が室外機の所定の位置に固定される。第２ステップでは、電装品ユニットが第１状態をとるように、第１支持体が移動される。なお、ここにいう「第１状態」とは、配線作業に好適な状態であり、例えば、第１電子回路基板と第２電子回路基板とがほぼ１８０度の角度をなす状態や、第１電子回路基板と第２電子回路基板とに十分に距離のある状態、第１電子回路基板と第２電子回路基板とが重ならない状態で平行に並び且つ第１電子回路基板と第２電子回路基板とに十分に距離がある状態などである。第３ステップでは、第１電子回路基板および第２電子回路基板の少なくとも一方の所定のコネクタ部と室外機の構成要素部品とを配線接続する。なお、ここにいう「構成要素部品」とは、圧縮機、電子膨張弁および四路切換弁などである。第４ステップでは、電装品ユニットが第２状態をとるように、第１支持体が移動される。なお、ここにいう「第２状態」とは、電装品ユニットの収納に好適な状態であり、例えば、第１電子回路基板と第２電子回路基板とがほぼ９０度の角度をなす状態や、第１電子回路基板と第２電子回路基板とが近接する状態、第１電子回路基板と第２電子回路基板とが平行に重なる状態などである。
【００２３】
ここでは、この電装品ユニット取付方法が実施されると、第１ステップで、第１支持体が室外機の所定の位置に固定される。次に、第２ステップで、電装品ユニットが第１状態をとるように、第２支持体が移動される。続いて、第３ステップで、第１電子回路基板および第２電子回路基板の少なくとも一方の所定のコネクタ部と室外機の構成要素部品とを配線接続する。そして、第４ステップで、電装品ユニットが第２状態をとるように、第２支持体が移動される。このため、効率よく且つ容易に電装品ユニットを室外機に取り付けることが可能となる。
【発明の効果】
【００２４】
請求項１に係る電子回路基板支持体では、室外機の能力を低下させず、かつ、電子回路基板と室外機の構成要素部品との配線作業を容易に行うことができる。
請求項２に係る電子回路基板支持体では、室外機の能力を低下させず、かつ、電子回路基板と室外機の構成要素部品との配線作業を容易に行うことができる。
請求項３に係る電子回路基板支持体では、室外機の能力を低下させず、かつ、電子回路基板と室外機の構成要素部品との配線作業を容易に行うことができる。
【００２５】
請求項４に係る電子回路基板支持体では、室外機の能力を低下させず、かつ、電子回路基板と室外機の構成要素部品との配線作業を容易に行うことができる。
請求項５に係る電子回路基板支持体では、第１電子回路基板および第２電子回路基板と、第３電子回路基板や電源などとの配線接続を容易に行うことが可能となる。
請求項６に係る電装品ユニットでは、室外機の能力を低下させず、かつ、電子回路基板と室外機の構成要素部品との配線作業を容易に行うことができる。
【００２６】
請求項７に係る電装品ユニット取付方法が実施されると、効率よく且つ容易に電装品ユニットを室外機に取り付けることが可能となる。
【発明を実施するための最良の形態】
【００２７】
＜第１実施形態＞
［電装品ユニット］
本実施形態に係る電装品ユニットの第１状態を図３に示す。本電装品ユニット３０は、主に、インバータ基板３４、制御回路基板３５、端子台３６、インバータ基板支持体３１ａ、制御回路基板支持体３１ｂ、端子台支持体３２、ヒンジ３３およびスライダー（端子台支持体３２の背面にある）から構成される。インバータ基板３４は、交流を一旦直流に変換し、さらに交流に変換する際に、周波数と電圧を制御するための回路基板である。このインバータ基板３４により、圧縮機のモータなどの回転数を幅広く変更することが可能となる。制御回路基板３５は、空気調和機の構成要素部品（例えば、圧縮機、電子膨張弁、室外ファン、四路切換弁および室内ファンなど）の出力や出力のタイミングなどを制御するための基板である。端子台３６は、室内機の電子回路基板や室内にある電源とインバータ基板３４および制御回路基板３５との電気接続を媒介する。インバータ基板支持体３１ａには、インバータ基板３４が固定される。制御回路基板支持体３１ｂには、制御回路基板３５が固定される。端子台支持体３２には、端子台３６が固定される。なお、インバータ基板３４、制御回路基板３５および端子台３６内で必要となる配線作業についてはすでに完了している。制御回路基板支持体３１ｂには、制御回路基板３５が固定される。ヒンジ３３は、インバータ基板支持体３１ａと制御回路基板支持体３１ｂとを結合する。なお、このヒンジ３３によって、インバータ基板３４と制御回路基板３５とは、９０度から１８０度までの任意の角度をなす状態を取ることが可能となっている。スライダーは、制御回路基板支持体３１ｂと端子台支持体３２とを結合する。なお、このスライダーにより端子台支持体３２は、制御回路基板３５と交差する方向（図面手前側）にスライドすることが可能となっている。
【００２８】
図４には、この電装品ユニット３０の変形の様子を表す図を示す。図４上段において、制御回路基板３５がインバータ基板３４と９０度の角度をなすように移動され、端子台支持体３２がスライドされた後、天板３８を取り付けると、電装品ユニット３０は、図４下段のような形態になる。
図５には、電装品ユニット３０が室外機５０に取り付けられた最終的な状態を表す図を示す。図５に示すように、電装品ユニット３０は、室外機５０の機械室５２内の上部に収まる。
【００２９】
［電装品ユニットの取付と配線作業］
図８には、電装品ユニット３０の取付と配線作業の流れを表すフローチャートを示す。
図８において、ステップＳ１１では、作業者が、インバータ基板支持体３１ａを室外機５０の仕切板５３の機械室５２側上部の面にネジ止めする（図５参照）。ステップＳ１２では、作業者が、室外機５０にある種々の構成要素部品、例えば、圧縮機、電子膨張弁および四路切換弁などとインバータ基板３４および制御回路基板３５上のコネクタ４０とを配線接続する（図３参照）。なお、このとき、本電装品ユニット３０の状態は、図４の上段に示す状態である。ステップＳ１３では、作業者が、制御回路基板支持体３１ｂを、制御回路基板３５がインバータ基板３４に対して９０度の角度になるように折る。ステップＳ１４では、作業者が、端子台支持体３２をスライドさせる。ステップＳ１５では、作業者が、端子台３６に室内機からの伝送線（室内機の電子回路基板および電源に接続するための伝送線）を接続する。
【００３０】
［電装品ユニットの輸送梱包形態］
図７には、電装品ユニット３０の輸送梱包形態を表す図を示す。
通常、電子回路基板などは電装品箱といわれる箱体に収納されることが多い。そのような場合、その箱体の内部にはデッドスペースがあるため、図７に示すようなサイズの梱包箱６０には、多くても２つほどしか収納されない。しかし、本発明に係る電装品ユニット３０は、その形状をほぼ平面に近い形状に変形することができる。このため、デッドスペースが少なくなる。したがって、図７に示すようなサイズの梱包箱に、通常のおよそ倍の４つの電装品ユニット３０を収納することができる。
【００３１】
［電装品ユニットの特徴］
（１）
第１実施形態に係る電装品ユニット３０では、ヒンジ３３によりインバータ基板３４と制御回路基板３５とが、９０度から１８０度の任意の角度をなす状態を取ることが可能となっている。インバータ基板３４と制御回路基板３５とが１８０度の角度をなす状態では、インバータ基板３４および制御回路基板３５と室外機５０の構成要素部品との配線の作業方向が定まるため、配線作業を容易に行うことができる。また、インバータ基板３４と制御回路基板３５とが９０度の角度をなす状態では、インバータ基板３４と制御回路基板３５とを室外機５０の機械室５２に収めることができる。したがって、室外機５０の能力を低下させることはない。この結果、本電装品ユニット３０では、室外機５０の能力を低下させず、かつ、室外機５０の構成要素部品とインバータ基板３４および制御回路基板３５との配線作業を容易に行うことができる。
【００３２】
（２）
第１実施形態に係る電装品ユニット３０では、制御回路基板３５に対して端子台３６の位置を変更することができる。このため、電装品ユニット３０が室外機５０に固定された後でも、その端子台３６のみを室内機の電子回路基板や電源に接続しやすい位置に移動させることができる。したがって、インバータ基板３４および制御回路基板３５と、室内機の電子回路基板や電源などとの配線接続を容易に行うことが可能となる。
【００３３】
（３）
第１実施形態に係る電装品ユニット３０の取付と配線作業では、ステップＳ１１で、作業者が、インバータ基板支持体３１ａを室外機５０の仕切板５３の機械室５２側上部の面にネジ止めする。ステップＳ１２で、作業者が、室外機５０にある構成要素部品とインバータ基板３４および制御回路基板３５上のコネクタ４０とを配線接続する。ステップＳ１３で、作業者が、制御回路基板支持体３１ｂをインバータ基板に対して９０度の角度に折る。ステップＳ１４で、作業者が、端子台支持体３２をスライドさせる。ステップＳ１５で、作業者が、端子台３６に室内機からの伝送線を接続する。このため、効率よく且つ容易に電装品ユニット３０を室外機５０に取り付けることが可能となる。
【００３４】
（４）
第１実施形態に係る電装品ユニット３０の組み立てにおいて、インバータ基板支持体３１ａと制御回路基板支持体３１ｂとが先にヒンジ３３により結合された後に、インバータ基板３４および制御回路基板３５をその電子回路基板支持体３１ａ，３１ｂに取り付ける場合、その取付作業方向が定まる。このため、その取付作業を容易に行うことができる。
【００３５】
（５）
第１実施形態に係る電装品ユニット３０は、その形状をほぼ平面に近い形状に変形することができる。このため、デッドスペースが少なくなる。したがって、同サイズの梱包箱に、通常のおよそ倍の電装品ユニット３０を収納することができる。その結果、輸送単価を低減することができる。
【００３６】
（６）
第１実施形態に係る電装品ユニット３０を利用すれば、室外機５０のメンテナンス時においても作業方向が定まるので、迅速なメンテナンス作業を行うことが可能となる。また、本電装品ユニット３０は取り付けられたままでも変形可能なので、電装品ユニット３０をいちいち取り外さなくてもその電装品ユニット３０に隠れる室外機５０の構成要素部品のメンテナンスを行うことができる場合がある。
【００３７】
［変形例］
（１）
第１実施形態では、インバータ基板支持体３１ａと制御回路基板支持体３１ｂとがヒンジ３３により結合され、そのヒンジ３３によりインバータ基板３４と制御回路基板３５とが９０度から１８０度までの任意の角度をなす状態を取ることが可能となっていた。しかし、インバータ基板３４と制御回路基板３５とがなす角度が、必ずしも９０度から１８０度のまで角度でなければならないということはない。例えば、インバータ基板３４と制御回路基板３５とがなす角度が、０度から３６０度までの角度であってもかまわない。
【００３８】
（２）
第１実施形態では、インバータ基板支持体３１ａと制御回路基板支持体３１ｂとがヒンジ３３により結合され、そのヒンジ３３によりインバータ基板３４と制御回路基板３５とが９０度から１８０度の任意の角度をなす状態を取ることが可能となっていたが、インバータ基板支持体３１ａと制御回路基板支持体３１ｂとがスライダーにより結合されてもかまわない。なお、このとき、インバータ基板３４と制御回路基板３５とがなす角度は、９０度であってもよいし１８０度であってもよい。
【００３９】
（３）
第１実施形態では、制御回路基板支持体３１ｂと端子台支持体３２とがスライダーより結合され、そのスライダーにより端子台支持体３２が制御回路基板３５と交差する方向にスライドすることが可能となっていたが、制御回路基板支持体３１ｂと端子台支持体３２とがヒンジで結合されてもかまわない。
【００４０】
＜第２実施形態＞
［電装品ユニット］
本実施形態に係る電装品ユニットを図６に示す。本電装品ユニット７０は、主に、インバータ基板７４、制御回路基板７５、端子台７６、インバータ基板支持体７１ａ、制御回路基板支持体７１ｂ、端子台支持体７２、スライダー７９から構成される。インバータ基板７４は、交流を一旦直流に変換し、さらに交流に変換する際に周波数と電圧を制御するための回路基板である。このインバータ基板７４により、圧縮機のモータや室内外のファンを駆動させるモータなどの回転数を幅広く変更することが可能となる。制御回路基板７５は、空気調和機の構成要素部品（例えば、圧縮機、電子膨張弁、室外ファン、四路切換弁および室内ファンなど）の出力や出力のタイミングなどを制御するための基板である。端子台７６は、室内機の電子回路基板や室内にある電源とインバータ基板７４および制御回路基板７５との電気接続を媒介する。インバータ基板支持体７１ａには、インバータ基板７４が固定される。制御回路基板支持体７１ｂには、制御回路基板７５が固定される。端子台支持体７２には、端子台７６が固定される。なお、インバータ基板７４、制御回路基板７５および端子台７６内で必要となる配線作業についてはすでに完了している。スライダー７９は、インバータ基板支持体７１ａと制御回路基板支持体７１ｂとを結合する。なお、このスライダー７９は、上部バーと下部バーとから構成される。上部バーには、スライドバー７３ｂが固定されている。また、下部バーには、レール７３ａが設けてあり、そこにスライドバー７３ｂがはめ込まれる。なお、このスライダー７９によって、インバータ基板７４は制御回路基板７５に対してスライド可能となっている。
【００４１】
［電装品ユニットの取付と配線作業］
図９には、電装品ユニット７０の取付と配線作業の流れを表すフローチャートを示す。
図９において、ステップＳ２１では、作業者が、制御回路基板支持体７１ｂを室外機の仕切板の機械室側上部の面にネジ止めする。ステップＳ２２では、作業者が、インバータ基板支持体７１ａを完全に引き出し、インバータ基板７４が見える状態にする。ステップＳ２３では、作業者が、室外機にある種々の構成要素部品、例えば、圧縮機、電子膨張弁および四路切換弁などとインバータ基板７４および制御回路基板７５上のコネクタ８０とを配線接続する。ステップＳ２４では、作業者が、インバータ基板支持体７１ａをスライドさせ、インバータ基板７４が制御回路基板支持体７１ｂに隠れる状態にする。ステップＳ２５では、作業者が、端子台３６に室内機からの伝送線（室内機の電子回路基板および電源に接続するための伝送線）を接続する。
【００４２】
［電装品ユニットの特徴］
（１）
第２実施形態に係る電装品ユニット７０では、インバータ基板７４を制御回路基板７５に対して平行にスライドすることができる。インバータ基板７４が完全に引き出された状態では、配線の作業方向が定まり且つ十分な作業スペースを確保することができるため、配線作業を容易に行うことができる。また、インバータ基板７４が制御回路基板支持体７１ｂの下に完全に隠れる状態では、インバータ基板７４と制御回路基板７５とを室外機の機械室に収めることができる。したがって、室外機の能力を低下させることはない。この結果、本電装品ユニット７０を利用すれば、室外機の能力を低下させず、かつ、室外機の構成要素部品とインバータ基板７４および制御回路基板７５との配線作業を容易に行うことができる。
【００４３】
（２）
第２実施形態に係る電装品ユニット３０の取付と配線作業では、ステップＳ２１で、作業者が、制御回路基板支持体７１ｂを室外機の仕切板の機械室側上部の面にネジ止めする。ステップＳ２２で、作業者が、インバータ基板支持体７１ａを完全に引き出し、インバータ基板７４が見える状態にする。ステップＳ２３で、作業者が、室外機にある種々の構成要素部品、例えば、圧縮機、電子膨張弁および四路切換弁などとインバータ基板７４および制御回路基板７５上のコネクタ８０とを配線接続する。ステップＳ２４で、作業者が、インバータ基板支持体７１ａをスライドさせ、インバータ基板７４が制御回路基板支持体７１ｂに隠れる状態にする。ステップＳ２５で、作業者が、端子台３６に室内機からの伝送線を接続する。このため、効率よく且つ容易に電装品ユニット３０を室外機５０に取り付けることが可能となる。
【産業上の利用可能性】
【００４４】
本発明に係る電子回路基板支持体および電装品ユニットを利用すれば、室外機の能力を低下させず、かつ、電子回路基板と室外機の構成要素部品との配線作業を容易に行うことができる。
【図面の簡単な説明】
【００４５】
【図１】従来の室外機の構成の一部を表す斜視図。
【図２】従来の室外機の構成の一部を表す斜視図。
【図３】第１実施形態に係る電装品ユニットの第１状態を表す斜視図。
【図４】第１実施形態に係る電装品ユニットの変形の様子を表す斜視図。
【図５】第１実施形態に係る電装品ユニットが室外機に取り付けられた状態を表す斜視図。
【図６】第２実施形態に係る電装品ユニットの斜視図。
【図７】第１実施形態に係る電装品ユニットの輸送梱包形態を表す図。
【図８】第１実施形態に係る電装品ユニットの取付と配線作業の流れを表すフローチャート。
【図９】第２実施形態に係る電装品ユニットの取付と配線作業の流れを表すフローチャート。
【符号の説明】
【００４６】
３０，７０          電装品ユニット
３１ａ，７１ａ      インバータ基板支持体（電子回路基板）
３１ｂ，７１ｂ      制御回路基板支持体（電子回路基板）
３２，７２          端子台支持体
３３                ヒンジ（第１可動結合部）
３４，７４          インバータ基板
３５，７５          制御回路基板
３６，７６          端子台
４０，８０          コネクタ
５０                室外機
７３ａ              レール
７３ｂ              スライドバー
７９                スライダー（第１可動結合部）
【図１】
2005077016.tif 000003
【図２】
2005077016.tif 000004
【図３】
2005077016.tif 000005
【図４】
2005077016.tif 000006
【図５】
2005077016.tif 000007
【図６】
2005077016.tif 000008
【図７】
2005077016.tif 000009
【図８】
2005077016.tif 000010
【図９】
2005077016.tif 000011